(57)【要約】【課題】スイッチの数が多くなり使い難い課題を解消したレンズ駆動装置を提供する事を目的とする。【解決手段】撮像装置１００は、操作者の操作に従って撮影光学系のズームの移動方向及び移動速度を指示する操作信号を出力する操作部１５０と、操作部１５０から出力された操作信号に基づいて前記ズームを制御するズーム制御部１３０と、操作部１５０の操作の変化量が所定値より小さい第１状態であるかを判別するコントローラ（ズーム操作変化量判別部）１４０と、コントローラ１４０により前記第１状態であると判別された場合、前記ズームを定速移動させる制御部１５０と、を備える。【選択図】図１
2014232250.tif 000002
【特許請求の範囲】
【請求項１】
操作者の操作に従って撮影光学系のズームの移動方向及び移動速度を指示する操作信号を出力する操作部と、
前記操作部から出力された操作信号に基づいて前記ズームを制御するズーム制御部と、
前記操作部の操作の変化量が所定値より小さい第１状態であるかを判別するズーム操作変化量判別部と、
前記ズーム操作変化量判別部により前記第１状態であると判別された場合、前記ズームを定速移動させる制御部と
を備えたレンズ駆動装置。
【請求項２】
前記ズーム操作変化量判別部により前記操作部の操作の変化量が所定値以上である第２状態であると判別された場合、前記制御部は操作者の操作に従った通常ズームを実行させる、請求項１記載のレンズ駆動装置。
【請求項３】
前記ズーム操作変化量判別部により前記操作部の操作を一旦戻し、操作の変化量が所定値以上であるか、又は、前記操作部の操作を反対方向に実行した第３状態であると判別された場合、前記制御部は前記定速移動を解除させる、請求項１記載のレンズ駆動装置。
【発明の詳細な説明】
【技術分野】
【０００１】
本開示はレンズ駆動装置に係り、撮像装置に使用される変倍レンズのズームを定速移動させるオートクルージング機能を備えたレンズ駆動装置に関するものである。
【背景技術】
【０００２】
操作者が一定速度でズームを行う事は非常に困難である。その為カメラに取り付ける変倍レンズには、特許文献１の様な所定のスイッチをオンにするとその時の移動速度を保持するオートクルージング機能と呼ばれる機能がある。
【先行技術文献】
【特許文献】
【０００３】
【特許文献１】特開２０００−２８４１６５号公報
【発明の概要】
【発明が解決しようとする課題】
【０００４】
変倍レンズを持つ撮像装置を撮影中に一定速度でズームさせるにはズームレバーで一定にしたい速度に調節し、オートクルージングスイッチをオンにする必要がある。
【０００５】
しかし、この方法ではスイッチを押す動作により撮像装置がぶれる、スイッチの数が多くなり使い難い、スイッチが追加される分小型化し難いという課題がある。
【０００６】
本開示は、スイッチの数が多くなり使い難い課題を解消したレンズ駆動装置を提供することを目的とする。
【課題を解決するための手段】
【０００７】
本開示に係るレンズ駆動装置は、操作者の操作に従って撮影光学系のズームの移動方向及び移動速度を指示する操作信号を出力する操作部と、前記操作部から出力された操作信号に基づいて前記ズームを制御するズーム制御部と、前記操作部の操作の変化量が所定値より小さい第１状態であるかを判別するズーム操作変化量判別部と、前記ズーム操作変化量判別部により前記第１状態であると判別された場合、前記ズームを定速移動させる制御部と、を備える。
【発明の効果】
【０００８】
本開示に係るレンズ駆動装置は、ズームレバー操作のみによりオートクルージングが可能となる為、オートクルージングスイッチを押す動作により、撮像装置がぶれるといった使い難い課題を解決する事が可能となる。
【図面の簡単な説明】
【０００９】
【図１】実施の形態１における駆動ユニットが装着された撮像装置の外観を示す平面図
【図２】実施の形態１における駆動ユニットが装着された撮像装置の構成を示すブロック図
【図３】実施の形態１における撮像装置の動作を示すフローチャート
【発明を実施するための形態】
【００１０】
以下、適宜図面を参照しながら、実施の形態を詳細に説明する。但し、必要以上に詳細な説明は省略する場合がある。例えば、既に良く知られた事項の詳細説明や実質的に同一の構成に対する重複説明を省略する場合がある。これは、以下の説明が不必要に冗長になるのを避け、当業者の理解を容易にする為である。
【００１１】
尚、出願人は、当業者が本開示を十分に理解する為に添付図面及び以下の説明を提供するのであって、これらによって特許請求の範囲に記載の主題を限定する事を意図するものではない。
【００１２】
（実施の形態１）
（１．撮像装置の構成）
図１は、実施の形態１における駆動ユニットが装着された撮像装置の外観を示す平面図である。図１に示す様に、撮像装置１００は、本体部（筐体）１０、ファインダー部２０、レンズ部３０、ズームレバー１５１、及び電源スイッチ１５２を備える。
【００１３】
尚、撮像装置１００は、図示しないレンズ等の光学部材、撮像素子、制御装置（ＣＰＵ，ＲＡＭ，ＲＯＭ等）等、撮像に使われる種々の部材を備える。
【００１４】
図２は、実施の形態１における駆動ユニットが装着された撮像装置１００の構成を示すブロック図である。図２において、撮像装置１００は、撮像部１１０と、画像処理部１２０と、駆動ユニット５０（ズーム制御部１３０と、ズーム操作変化量判別部１４０（以下コントローラと称す）と、操作部１５０）と記録媒体制御部１６０を含む。メモリカード１７０は、記録媒体制御部１６０を介して、撮像装置１００に接続される。
【００１５】
撮像部１１０で撮像された画像は、画像処理部１２０で各種画像処理がなされる。画像処理後の画像データは、記録媒体制御部１６０を介して、記録媒体１７０に記録される。尚、撮像される画像は、静止画又は動画のいずれであっても良い。
【００１６】
画像処理部１２０は、ＡＤ変換、画像前処理及び画像圧縮処理を行う。画像前処理は、ＡＤ変換された画像データに対して、ガンマ補正やホワイトバランス補正、傷補正等の各種カメラ信号処理を行う。画像圧縮処理は、ＤＣＴ（離散コサイン変換）、ハフマン符号化等を行う事により、画像データを圧縮する。画像圧縮処理は、例えば、ＭＰＥＧ−２や、Ｈ．２６４の規格に準拠した圧縮形式により画像データを圧縮する。尚、圧縮方式は、ＭＰＥＧ−２やＨ．２６４の形式に限定されない。画像処理部１２０は、ＤＳＰやマイコン等で実現可能である。
【００１７】
コントローラ１４０は、撮像装置１００全体を制御する制御手段である。コントローラ１４０は、マイクロコンピュータ等の半導体素子等で実現可能である。コントローラ１４０は、ハードウェアのみで構成しても良いし、ハードウェアとソフトウェアを組み合わせる事により実現しても良い。
【００１８】
操作部１５０は、各種操作手段を総称した構成要素である。操作部１５０は、撮像装置１００の電源オンやオフを行う電源ボタン１５２や、ズーム操作を行うズームレバー１５１等を含む。操作部１５０は、撮影者の指示を受け付け、その指示をコントローラ１４０に伝える。
【００１９】
操作部１５０のズームレバー操作をコントローラ１４０で解析し、解析結果に応じてズーム制御部１３０が撮像部１１０のズームが一定速度になる様に制御する。
【００２０】
記録媒体制御部１６０は、メモリカード１７０を着脱可能である。記録媒体制御部１６０は、機械的及び電気的にメモリカード１７０と接続可能である。メモリカード１７０は、フラッシュメモリや強誘電体メモリ等を内部に含み、データを格納可能である。
【００２１】
尚、本実施の形態では、メモリカード１７０が着脱自在な構成について説明するが、メモリカード１７０は撮像装置１００に内蔵される形態であっても良い。又、本実施の形態において、記録媒体としてメモリカード１７０を用いる形態について説明するが、記録媒体は、メモリカードに限らず、光ディスク、ハードディスク、磁気テープ等であっても良い。
【００２２】
尚、本実施の形態において、撮像部１１０で撮像された画像を、いずれもメモリカード１７０に記録する形態について説明するが、メモリカード１７０を２枚接続可能とし、撮像部１１０で撮像された画像が、それぞれ異なるメモリカードに記録される形態であっても良い。
【００２３】
（２．撮像装置の動作）
撮像装置１００のオートクルージング時の動作について、図３のフローチャートを用いて説明する。
【００２４】
撮影者がステータス＝０において電源スイッチ１５２を用いた電源オン操作を行う事により、撮像装置１００は起動する（Ｓ１０１）。
【００２５】
ズームレバー１５１を押し、且つ、コントローラ１４０によりズームレバーの押し込み変化量が所定値より小さいと判別された時（Ｓ１０５）、ステータ＝１となり、コントローラ１４０で現在のズーム速度を維持したいと判断し、ズーム制御部１３０がズーム速度を維持する様にオートクルージング制御する（Ｓ１０２）。
【００２６】
撮影者がオートクルージング制御を解除したい場合、ステータス＝１において一旦、ズームレバーから手を離し、ズームレバー押し込みを一旦戻す（Ｓ１０６）と、ステータス＝２となる。その後、ステータス＝２においてズームレバーの押し込み変化量が大きくなる様に素早くズームレバーを押す、又は、ズームレバーを反対に押す（Ｓ１０７）事によりステータス＝０となり、オートクルージング制御が解除される（Ｓ１０３）。
【００２７】
又、レンズ端までズームを行った場合もオートクルージング制御が解除される（Ｓ１０４）。
【００２８】
電源スイッチ１５２を用いた電源オフ操作を行う事により、撮像装置１００は電源オフの動作を行う（Ｓ１０８）。
【００２９】
（３．まとめ）
以上の様に、本実施の形態において、撮像装置１００は、操作者の操作に従って撮影光学系のズームの移動方向及び移動速度を指示する操作信号を出力する操作部１５０と、操作部１５０から出力された操作信号に基づいてズームを制御するズーム制御部１３０と、操作部１５０の操作の変化量が所定値より小さい第１状態であるかを判別するコントローラ１４０と、コントローラ１４０により前記第１状態であると判別された場合、ズームを定速移動させるズーム制御部１３０と、を備える事により、変倍レンズを持つ撮像装置１００はズームレバー操作のみによりオートクルージングが可能となる。その為、オートクルージングスイッチを押す動作により、撮像装置がぶれる等スイッチの数が多くなり使い難い課題や、スイッチが追加される分小型化し難いという課題を解決する。
【産業上の利用可能性】
【００３０】
本開示は、ズームレバー操作のみによりオートクルージングが可能となる為、オートクルージングスイッチを押す動作により撮像装置がぶれる、スイッチの数が多くなり使い難い、スイッチが追加される分小型化し難いという課題を解決する事が可能となる為、業務用や、コンシューマ用の撮像装置に適用する事が出来る。
【符号の説明】
【００３１】
１０  本体部（筐体）
２０  ファインダー部
３０  レンズ部
５０  駆動ユニット
１００  撮像装置
１１０  撮像部
１２０  画像処理部
１３０  ズーム制御部
１４０  コントローラ（ズーム操作変化量判別部）
１５０  操作部
１５１  ズームレバー
１５２  電源スイッチ
１６０  記録媒体制御部
１７０  メモリカード
【図１】
2014232250.tif 000003
【図２】
2014232250.tif 000004
【図３】
2014232250.tif 000005